(57)【特許請求の範囲】
【請求項１】
表示器と、前記表示器を操作する操作部と、
前記操作部が貫通する貫通孔が形成された筒部を有し前記表示器の前側に配設された透光性カバーと、前記操作部が貫通する開口部を有し前記透光性カバーの後面に貼着された光学フィルムと、を備え、
前記透光性カバーの前記筒部は、前方向に突出していると共に、
前記光学フィルムの前記開口部は、前記透光性カバーの前記貫通孔よりも大きくしかも前記筒部の外径よりも小さく、且つ、前記筒部の前面が傾斜面になっていることを特徴とする表示装置。
【請求項２】
前記筒部の前記傾斜面は、円錐面になっていることを特徴とする請求項１に記載の表示装置。
【請求項３】
表示器と、前記表示器を操作する操作部と、前記操作部が貫通する貫通孔が形成された筒部を有し前記表示器の前側に配設された透光性カバーと、前記操作部が貫通する開口部を有し前記透光性カバーの後面に貼着された光学フィルムと、を備え、
前記透光性カバーの前記筒部は、前方向に突出していると共に、
前記光学フィルムの前記開口部は、前記透光性カバーの前記貫通孔よりも大きくしかも前記筒部の外径よりも小さく、且つ、前記筒部の前面は複数の段部を有することを特徴とする表示装置。
【請求項４】
前記光学フィルムの前記開口部は、円形であることを特徴とする請求項１乃至請求項３の何れかに記載の表示装置。
【発明の詳細な説明】
【技術分野】
【０００１】
本発明は、透光性カバーに貫通孔が形成された表示装置に関するものである。
【背景技術】
【０００２】
従来より、リセットノブが貫通する貫通孔が透光性カバーに形成された車両用表示装置が種々提案されており、例えば特許文献１に開示されている。斯かる車両用表示装置は、ノブスイッチをメータハウジング内に設けて、該メータハウジング内で支持されるリセットノブの押圧端部を、該ノブスイッチに対向させると共に、該メータハウジングの表示側面側に設けられた透光性カバーには、前記リセットノブを挿通する貫通孔を形成したものである。
【先行技術文献】
【特許文献】
【０００３】
【特許文献１】特開２０１１−２３０５９１号公報
【発明の概要】
【発明が解決しようとする課題】
【０００４】
しかしながら、図７に示すように、透光性カバー８の後面に、反射防止フィルム等の光学フィルム７を貼着する場合、光学フィルム７の貼り付け位置の精度の制約から、光学フィルム７の開口部７ａが貫通孔８ａよりも大きくなっているため、正面から見たときに、光学フィルム７の開口部７ａが目立ってしまうという問題を有していた。
本発明は、この問題に鑑みなされたものであり、光学フィルムの開口部が目立たない表示装置を提供するものである。
【課題を解決するための手段】
【０００５】
本発明は、表示器３０と、前記表示器３０を操作する操作部９０と、前記操作部９０が貫通する貫通孔８１ａ，１８１ａが形成された筒部８１，１８１を有し前記表示器の前側に配設された透光性カバー８０，１８０と、前記操作部９０が貫通する開口部７０ａを有し前記透光性カバー８０，１８０の後面に貼着された光学フィルム７０と、を備え、前記透光性カバー８０，１８０の前記筒部８１，１８１は、前方向に突出していると共に、前記光学フィルム７０の前記開口部７０ａは、前記透光性カバー８０，１８０の前記貫通孔８１ａ，１８１ａよりも大きくしかも前記筒部の外径よりも小さく、且つ、前記筒部８１，１８１の前面が傾斜面になっているものである。
【０００６】
また、本発明は、前記筒部８１，１８１の前記傾斜面は、円錐面になっているものである。
【０００７】
また、本発明は、表示器３０と、前記表示器３０を操作する操作部９０と、前記操作部９０が貫通する貫通孔２８１ａが形成された筒部２８１を有し前記表示器の前側に配設された透光性カバー２８０と、前記操作部９０が貫通する開口部７０ａを有し前記透光性カバー２８０の後面に貼着された光学フィルム７０と、を備え、前記透光性カバー２８０の前記筒部２８１は、前方向に突出していると共に、前記光学フィルム７０の前記開口部７０ａは、前記透光性カバー２８０の前記貫通孔２８１ａよりも大きくしかも前記筒部の外径よりも小さく、且つ、前記筒部２８１の前面は複数の段部を有するものである。
【０００８】
また、本発明は、前記光学フィルム７０の前記開口部７０ａは、円形であるものである。
【発明の効果】
【０００９】
光学フィルムの開口部が目立たないため、外観品質が良好になる。
【図面の簡単な説明】
【００１０】
【図１】本発明の第一実施形態を示す正面図。
【図２】同上実施形態を示すブロック図。
【図３】同上実施形態を示す表示例説明図。
【図４】同上実施形態を示す要部拡大断面図及び要部拡大背面図。
【図５】本発明の第二実施形態を示す要部拡大断面図。
【図６】本発明の第三実施形態を示す要部拡大断面図。
【図７】従来例を示す断面図。
【発明を実施するための形態】
【００１１】
以下、添付図面に基づいて、本発明の一実施形態を説明する。図１乃至図４は、第一実施形態を示すものである。車両用表示装置は、指針式計器１０，２０，液晶表示器３０，見返し部材４０，透光性カバー８０，リセットノブ９０を備えている。
【００１２】
指針式計器１０は車両速度を表示する速度計であり、指針式計器２０はエンジンの回転数を表示する回転計である。指針式計器１０，２０は、夫々、文字板１１，２１，指針１２，２２，ステッピングモータ１３，２３を有している。文字板１１，２１は、指針１２，２２に指示される指標部１１ａ，２１ａを有している。指針１２，２２はステッピングモータ１３，２３により回動され、文字板１１，２１の指標部１１ａ，２１ａを指示する。
【００１３】
液晶表示器３０は、ＴＦＴ（Thin Film Transistor）型液晶表示素子からなる液晶表示パネル３１と、この液晶表示パネル３１を透過照明する発光素子３２と、を有している。液晶表示器３０の画面３０ａには、積算走行距離（ＯＤＤ計）及び区間走行距離（ＴＲＩＰ計）が表示される。見返し部材４０は不透明な樹脂からなるものであり、見返し部材４０には、指針式計器１０，指針式計器２０に対応する円形の開口４１，４２と、液晶表示器３０に対応する矩形の開口４３とが形成されている。
【００１４】
指針式計器１０，２０及び液晶表示器３０の前側には、アクリル等の透明樹脂からなる透光性カバー８０が配設されている。リセットノブ９０は、棒形状の不透明な樹脂からなるものであり、透光性カバー８０を貫通している。リセットノブ９０の前端部は、車両運転者によって押圧操作される箇所であり、リセットノブ９０の後端部は、リセットスイッチ６３を押圧する箇所である。
【００１５】
マイコン５０は、ＣＰＵ５１，ＲＯＭ５２，ＲＡＭ５３を有している。速度センサ６１は、車両速度を検出し、マイコン５０に速度データを出力する。マイコン５０に入力される速度データは、走行距離に算出にも利用される。回転センサ６２は、エンジンの回転数を検出し、マイコン５０に回転数データを出力する。マイコン５０は、ＲＯＭ５２に格納されている所定のプログラムに基づいて、ステッピングモータ１３，２３，液晶表示器３０を駆動する。
【００１６】
リセットスイッチ６３は、例えばタクタイルスイッチからなるものであり、リセットノブ９０が押圧操作されたときにオンされ、マイコン５０に操作信号を出力する。マイコン５０は、リセットスイッチ６３がオンされると、液晶表示パネル３１の画面３１ａに表示される区間走行距離（ＴＲＩＰ計）を「０」にする。
【００１７】
透光性カバー８０は、リセットノブ９０が貫通する貫通孔８１ａが形成された筒部８１を有している。透光性カバー８０の筒部８１は、前方向に突出しており、筒部８１の前面８１ｂは、前方向に向かって先細りになる円錐面になっている。なお、本明細書で、「円錐面」とは、円錐の全面という意味ではなく、円錐の頂点近傍を含まない円錐面の一部という意味である。筒部８１の周面８１ｃは、円筒面になっている。透光性カバー８０の後面には、反射防止フィルム７０が貼着されている。反射防止フィルム７０には、リセットノブ９０が貫通する円形の開口部７０ａが形成されている。反射防止フィルム７０の開口部７０ａは、筒部８１の貫通孔８１ａよりも大きくなっている。
【００１８】
第一実施形態によれば、視線方向の光が筒部８１の前面８１ｂで屈折されるため、反射防止フィルム７０の開口部７０ａが見え難くなるため、外観品質が良好になる。
【００１９】
図５は、第二実施形態を示すものである。第二実施形態は、透光性カバー１８０の筒部１８１の形状が異なるだけであり、他の構成は第一実施形態と同様である。
【００２０】
透光性カバー１８０は、リセットノブ９０が貫通する貫通孔１８１ａが形成された筒部１８１を有している。透光性カバー１８０の１筒部８１は、前方向に突出しており、筒部１８１の前面１８１ｂは、前方向に向かって広がる円錐面になっている。筒部１８１の周面１８１ｃは、円筒面になっている。透光性カバー１８０の後面には、反射防止フィルム７０が貼着されている。反射防止フィルム７０の開口部７０ａは、筒部１８１の貫通孔１８１ａよりも大きくなっている。
【００２１】
第二実施形態によれば、視線方向の光が筒部１８１の前面１８１ｂで屈折されるため、反射防止フィルム７０の開口部７０ａが見え難くなるため、外観品質が良好になる。
【００２２】
図６は、第三実施形態を示すものである。第三実施形態は、透光性カバー２８０の筒部２８１の形状が異なるだけであり、他の構成は第一実施形態と同様である。
【００２３】
透光性カバー２８０は、リセットノブ９０が貫通する貫通孔２８１ａが形成された筒部２８１を有している。透光性カバー２８０の筒部２８１は、前方向に突出しており、筒部２８１の前面２８１ｂは、複数の段部を有している。筒部２８１の周面２８１ｃは、円筒面になっている。透光性カバー２８０の後面には、反射防止フィルム７０が貼着されている。反射防止フィルム７０の開口部７０ａは、筒部２８１の貫通孔２８１ａよりも大きくなっている。
【００２４】
第三実施形態によれば、筒部２８１の前面２８１ｂに段部が形成されているため、反射防止フィルム７０の開口部７０ａが見え難くなるため、外観品質が良好になる。
【００２５】
本発明は、各実施形態に限定されるものではなく、種々の変形が可能であり、例えば、光学フィルムはモスアイフィルムやアンチグレアフィルムであっても良い。
【符号の説明】
【００２６】
３０    液晶表示器（表示器）
７０    反射防止フィルム（光学フィルム）
７０ａ  開口部
８０    透光性カバー
８１    筒部
８１ａ  貫通孔
９０    リセットノブ（操作部）
１８０    透光性カバー
１８１    筒部
１８１ａ  貫通孔
２８０    透光性カバー
２８１    筒部
２８１ａ  貫通孔
【図１】
0006525190.tif 000002
【図２】
0006525190.tif 000003
【図３】
0006525190.tif 000004
【図４】
0006525190.tif 000005
【図５】
0006525190.tif 000006
【図６】
0006525190.tif 000007
【図７】
0006525190.tif 000008